(57)【要約】【課題】内筒と外筒間に充填された潤滑剤を交換するに際し、その古い潤滑剤を確実に排出して新たな潤滑剤と交換（置換）できる新規なギアカップリングの提供。【解決手段】一方の回転軸に連結される外筒２０に、これを他方の回転軸に連結される内筒１０側に貫通するように複数の給排脂孔２３を設けると共に、そのうちの１つの給排脂孔２３を内外歯車１１，２１の噛み合わせ部の近傍に形成すると共に、他の給排脂孔２３を前記噛み合わせ部を挟んだ他方に形成する。これによって、内筒１０と外筒２０間に充填された潤滑剤を交換するに際し、新たな潤滑剤がその噛み合わせ部を通過することになるため、その古い潤滑剤を確実に排出して新たな潤滑剤と交換（置換）できる。【選択図】    図１
2008275083.tif 000002
【特許請求の範囲】
【請求項１】
一方の回転軸に連結される内筒と、他方の回転軸に直接あるいは他の内外筒を介して連結される外筒とを有すると共に、当該外筒の内周面に形成された内歯車と、前記内筒の外周面に形成された外歯車とを噛み合わせてなるギアカップリングであって、
前記外筒に、これを前記内筒側に貫通するように少なくとも２つ以上の給排脂孔を設けると共に、当該給排脂孔のうち少なくとも１つを前記内外歯車の噛み合わせ部の近傍に形成すると共に、他の給排脂孔のうち少なくとも１つを前記噛み合わせ部を挟んだ他方に形成したことを特徴とするギアカップリング。
【請求項２】
請求項１に記載のギアカップリングにおいて、
前記外筒にフランジを形成すると共に、当該フランジに前記給排脂孔のうち少なくとも１つを形成したことを特徴とするギアカップリング。
【請求項３】
請求項１または２に記載のギアカップリングにおいて、
前記噛み合わせ部の端部に、その噛み合わせ部に沿って環状に延びる空隙部を形成すると共に、当該空隙部に臨むように前記給排脂孔の１つを形成したことを特徴とするギアカップリング。
【請求項４】
請求項１〜３のいずれか１項に記載のギアカップリングにおいて、
前記給排脂孔を前記外筒の周方向に沿って複数形成したことを特徴とするギアカップリング。
【発明の詳細な説明】
【技術分野】
【０００１】
本発明は、一対の回転軸同士を同軸上に連結するための軸継手に係り、特に一方の回転軸に設けられた内筒と他方の回転軸に設けられた外筒間を内外歯車で噛み合わせた歯車式軸継手であるギアカップリングに関するものである。
【背景技術】
【０００２】
従来、各種プラントや機械装置の動力伝達系に適用されるための軸継手の１つとして、ギアカップリングと称される歯車式軸継手（以下「ギアカップリング」と称す）が多用されている。
このギアカップリングは、例えば図１１および図１２に示すように一方の回転軸Ｓ１の端部に固定された内筒１０と、他方の回転軸Ｓ２の端部に連結する外筒２０とを互いに嵌め合わせると共に、その内筒１０の外周面に設けられた外歯車１１と外筒２０の内周面に設けられた内歯車２１とを噛み合わせてなるものであり、一方の回転軸Ｓ１（Ｓ２）の動力（回転力）がこれら内筒１０と両歯車１１，２１と外筒２０を介して他方の回転軸Ｓ２（Ｓ１）側に伝達する構造となっている。
【０００３】
そして、このような内外歯車１１，２１を介して動力を伝達するギアカップリングでは、その外筒２０のフランジ２２などにこれを貫通するように一対の給排脂孔２３，２３が形成されており、この給排脂孔２３，２３からその内筒１０と外筒２０間にグリースなどの潤滑剤を充填することで特に大きな力が加わる歯車１１，２１表面の摩耗や腐食、発熱などを抑制するようになっている。
【０００４】
また、以下の特許文献１に示すようなギアカップリング（歯車形軸継手）では、この歯車の近傍に潤滑剤供給口を形成することでその歯車に対して効率良く潤滑剤を供給するようにしている。
また、以下の特許文献２には、その内筒側に給油穴を形成し、この給油穴からその内筒側の歯車部分に直接給油するようにしたギアカップリング（歯車式軸継手）が開示されている。
【０００５】
さらに、以下の特許文献３には、これとは反対にその外筒側に潤滑剤注入口を形成し、この潤滑剤注入口からその外筒側の歯車部分に直接給油するようにしたギアカップリングが開示されている。
【特許文献１】特開平８−６１４７３号公報
【特許文献２】特開平２−２７５１１７号公報
【特許文献３】特開平１−２７５９１８号公報
【発明の開示】
【発明が解決しようとする課題】
【０００６】
ところで、図１１および図１２に示したように内筒１０と外筒２０間にグリースなどの潤滑剤を充填したギアカップリングにあっては、経年劣化や摩耗粉混入などにより潤滑性が低下した潤滑剤を適宜新たなものと交換する場合には、通常、給排脂孔２３，２３のプラグＰをそれぞれ外してその給排脂孔２３，２３を開放させた状態とした後、一方の給排脂孔２３から新たな潤滑剤を注入し、その注入圧によってその内部に既に充填されている古い潤滑剤を他方の給排脂孔２３から押し出すようにして新旧の潤滑剤を置換することによって行われている。
【０００７】
しかしながら、従来のギアカップリングは、これら給排脂孔２３，２３が外筒２０のフランジ２２部分にそれぞれ対向するように形成されているため、既存の古い潤滑剤が完全に抜けきらずにその一部が内外歯車１１，２１の周辺にそのまま残ってしまい、その部分の潤滑性が著しく低下してしまう可能性がある。特に、潤滑剤としてグリースなどの粘性の高いものを用いた場合は、その現象が顕著となる。
【０００８】
一方、前記特許文献１に示すようにこの歯車の近傍に潤滑剤供給口を形成した構造でも交換した際に古い潤滑剤が完全に抜けきらず、既存の古い潤滑剤の一部がその歯車の周辺にそのまま残ってしまい、前記と同様な潤滑不足を招く可能性がある。
また、前記特許文献２および３に示すように内外歯車部分に直接給油穴（潤滑剤注入口）を形成する構造では、前記の構造に比べてその歯車部分に古い油が残る可能性は少ないが、その歯車部分に給油穴（潤滑剤注入口）を直接形成しているため、その部分の強度が著しく低下するおそれがあり、望ましい構造ではない。
そこで、本発明はこのような課題を有効に解決するために案出されたものであり、その主な目的は、内筒と外筒間に充填された潤滑剤を交換するに際し、その古い潤滑剤を確実に排出して新たな潤滑剤と交換（置換）できる新規なギアカップリングを提供するものである。
【課題を解決するための手段】
【０００９】
前記課題を解決するために請求項１の発明は、
一方の回転軸に連結される内筒と、他方の回転軸に直接あるいは他の内外筒を介して連結される外筒とを有すると共に、当該外筒の内周面に形成された内歯車と、前記内筒の外周面に形成された外歯車とを噛み合わせてなるギアカップリングであって、前記外筒に、これを前記内筒側に貫通するように少なくとも２つ以上の給排脂孔を設けると共に、当該給排脂孔のうち少なくとも１つを前記内外歯車の噛み合わせ部の近傍に形成すると共に、他の給排脂孔のうち少なくとも１つを前記噛み合わせ部を挟んだ他方に形成したことを特徴とするギアカップリングである。
【００１０】
また、請求項２の発明は、
請求項１に記載のギアカップリングにおいて、前記外筒にフランジを形成すると共に、当該フランジに前記給排脂孔のうち少なくとも１つを形成したことを特徴とするギアカップリングである。
また、請求項３の発明は、
請求項１または２に記載のギアカップリングにおいて、前記噛み合わせ部の端部に、その噛み合わせ部に沿って環状に延びる空隙部を形成すると共に、当該空隙部に臨むように前記給排脂孔の１つを形成したことを特徴とするギアカップリングである。
また、請求項４の発明は、
請求項１〜３のいずれか１項に記載のギアカップリングにおいて、前記給排脂孔を前記外筒の周方向に沿って複数形成したことを特徴とするギアカップリングである。
【発明の効果】
【００１１】
請求項１の発明によれば、外筒に、これを前記内筒側に貫通するように少なくとも２つ以上の給排脂孔を設けると共に、当該給排脂孔のうち少なくとも１つを前記内外歯車の噛み合わせ部の近傍に形成すると共に、他の給排脂孔のうち少なくとも１つを前記噛み合わせ部を挟んだ他方に形成したことから、先ず、内筒と外筒間が空の状態から一方の給排脂孔から新しい潤滑剤を注入すると、その潤滑材が軸端全面に行き渡った後に、その噛み合わせ部を通過して他方の給排脂孔にまで充填されることになる。
【００１２】
これによって、その噛み合わせ部全体に確実に潤滑剤を供給することができるため、良好な潤滑性を発揮することができる。
次に、既に充填されている古い潤滑剤を交換するに際しては、同様に一方の給排脂孔から新しい潤滑剤を注入すると、既に充填されている古い潤滑剤がその注入圧によってその噛み合わせ部を通過して他方の給排脂孔から排出されることになる。
【００１３】
これによって、内筒と外筒間に充填された古い潤滑剤の全てを確実に排出して新たな潤滑剤と交換（置換）することが可能となり、常に良好な潤滑性を維持することができる。
また、請求項２の発明によれば、前記外筒にフランジを形成すると共に、当該フランジに前記給排脂孔のうち少なくとも１つを形成したことから、潤滑剤の給排脂作業を比較的容易に行うことができる。
【００１４】
また、請求項３の発明によれば、前記噛み合わせ部の端部に、その噛み合わせ部に沿って環状に延びる空隙部を形成すると共に、当該空隙部に臨むように前記給排脂孔の１つを形成したことから、噛み合わせ部への新たな潤滑剤の給脂およびその噛み合わせ部の古い潤滑剤の排脂をより効果的に行うことができる。
また、請求項４の発明によれば、前記給排脂孔を前記外筒の周方向に沿って複数形成したことから、潤滑剤の給排脂量が増大し、その交換作業をより効率良く実施することが可能となる。
【発明を実施するための最良の形態】
【００１５】
以下、本発明を実施するための最良の形態を添付図面を参照しながら詳述する。
図１〜図３は、本発明に係るギアカップリング（歯車式軸継手）１００の第１の実施の形態を示したものであり、図１はその縦断面図、図２は図１中Ｘ−Ｘ線方向断面図、図３は図１中Ａ部を示す部分拡大図である。
図示するようにこのギアカップリング１００は、同軸上に位置する一対の回転軸Ｓ１，Ｓ２のうち、一方の回転軸Ｓ１の端部に固定された内筒１０と、他方の回転軸Ｓ２側に固定された外筒２０とを有すると共に、この外筒２０の内周面に形成された内歯車２１と、前記内筒１０の外周面に形成された外歯車１１とを相互に噛み合うように同軸上に組み合わせて構成されており、この内筒１０と外筒２０との間にグリースなどの潤滑剤が充填された状態となっている。
【００１６】
この外筒２０は、その内径が前記内筒１０の外径よりも十分に径大な筒本体２０ａの一端部にフランジ２２を形成したものであり、本実施の形態にあっては、このフランジ２２が他方の回転軸Ｓ２の端部に固定されたフランジ部材３０に対して図示しない締結ボルトなどによって一体的に締結されることでその他方の回転軸Ｓ２の端部に同軸上に固定されると共にこの他方の回転軸Ｓ２と同期して回動するようになっている。
【００１７】
また、この外筒２０の筒本体２０ａの他端部には、外筒２０との隙間を塞ぐべく内筒１０側に延びる環状の鍔部２４が形成されていると共に、その鍔部２４の内周面にはその内周面に沿って延びる環状の溝部２５が形成されている。そして、この溝部２５内にはＯリング２６が嵌め込まれるようになっており、この鍔部２４とＯリング２６によって内筒１０と外筒２０の端部間の隙間がシールされるようになっている。
【００１８】
また、図３に示すように、この外筒２０の内周面に形成された内歯車２１の軸方向の長さは、内筒１０の外周面に形成された外歯車１１の軸方向の長さよりもやや長くなっており、回転軸Ｓ１，Ｓ２の間隔、すなわちこれら回転軸Ｓ１，Ｓ２の軸方向の伸縮動を許容するような構造となっている。
さらに、この内筒１０の外周面に形成された外歯車１１は、その軸方向にやや円弧状に形成されており、回転軸Ｓ１，Ｓ２の軸芯が多少ずれた場合でも数°程度であればその芯ずれを許容し、その歯車１１，２１同士が相互に干渉しないような構造となっている。
【００１９】
また、この外歯車１１と内歯車２１との噛み合わせ部の端部、すなわち外筒２０の鍔部２４側端部には、その噛み合わせ部に沿って環状に延びるように空隙部４０が形成されている。
そして、図示するようにこの外筒２０の筒本体２０ａには、この空隙部４０に臨むように１つの給排脂孔２３ａが形成されており、この外筒２０と内筒１０間の潤滑剤をこの空隙部４０を介して給排脂できるようになっている。
【００２０】
また、この外筒２０のフランジ２２にも、これを内部に貫通するように１つの給排脂孔２３ｂが形成されており、この外筒２０と内筒１０間の潤滑剤を直接給排脂できるようになっている。
また、これら各給排脂孔２３ａ、２３ｂは、それぞれねじ込み式のプラグＰ、Ｐが着脱自在に備えられており、これらのプラグＰ、Ｐを着脱することで各給排脂孔２３ａ、２３ｂが適宜開閉されるようになっている。
【００２１】
そして、このような構造をした本発明のギアカップリング１００にあっては、通常時には、この外筒２０と内筒１０間に充填されたグリースなどの潤滑剤によってその外歯車１１と内歯車２１との噛み合わせ部の潤滑性が維持されることになるが、例えば長期の使用によりその潤滑剤が劣化してきたり、あるいはこれら各部材を構成する摩擦粉（鉄粉など）が混入するなどしてその潤滑性が低下してきた場合には、以下の手順によりその古くなった既存の潤滑剤を新たな潤滑剤に交換（置換）することになる。
【００２２】
すなわち、図１および図３に示すように、先ず外筒２０に形成された各給排脂孔２３ａ、２３ｂのプラグＰ、Ｐを取り外した後、フランジ２２側に形成された給排脂孔２３ｂに図示しない潤滑剤注入装置を接続し、この潤滑剤注入装置を用いてその給排脂孔２３ｂから新たな潤滑剤を注入する。
すると、この注入圧によってその外筒２０と内筒１０間に充填されている既存の潤滑剤が軸端全面（回転軸Ｓ１とＳ２との隙間およびその周囲）に行き渡った後にその外歯車１１と内歯車２１との噛み合わせ部を通過してその端部の空隙部４０に達し、さらにこの空隙部４０に充填された後、これを通過して他方の給排脂孔２３ａから順にその外部に排出されることになる。
【００２３】
そして、この給排脂孔２３ａから排出される古い潤滑剤の量よりもやや多い量の新たな潤滑剤を注入することで既存の古い潤滑剤の全てが排出され、外筒２０と内筒１０間の潤滑剤が全て新たな潤滑剤に交換（置換）されることになる。
このように本発明のギアカップリング１００は、外筒２０に前記内外歯車１１，２１の噛み合わせ部を挟むようにして給排脂孔２３ａ、２３ｂをそれぞれに形成したことから、内筒１０と外筒２０間に充填された古い潤滑剤の全てを確実に排出して新たな潤滑剤と交換（置換）することが可能となり、これによって、特にその噛み合わせ部全体に確実に新たな潤滑剤を供給することができるため、良好な潤滑性を発揮することができる。
【００２４】
また、内筒１０と外筒２０間が空の状態から一方の給排脂孔２３ｂから新しい潤滑剤を注入した場合でも、その潤滑剤が軸端全面に行き渡った後に、その噛み合わせ部を通過してその端部の空隙部４０に達し、さらにこの空隙部４０を介して他方の給排脂孔２３ａにまで充填されることから前記と同様にその噛み合わせ部全体に対して確実に新たな潤滑剤を供給することができる。
【００２５】
また、本発明のギアカップリング１００は、図１１および図１２に示したような既存のギアカップリング（汎用品）を用い、これに多少の加工を施すことで容易に製造することができるため、既存のギアカップリングをそのまま活用することが可能となり、その製造コストも安価になる。例えば、外筒２０内面の内歯車２１のうち、その鍔部２４側を環状に切削加工して空隙部４０を形成した後、その空隙部４０に臨むようにその外筒２０の部分に給排脂孔２３ａを穿孔し、その給排脂孔２３ａにプラグＰを嵌め込むことで本発明のギアカップリング１００を製造することが可能となる。
【００２６】
なお、本実施の形態では、外筒２０のフランジ２２側の給排脂孔２３ｂから新しい潤滑剤を注入し、鍔部２４側の給排脂孔２３ａから古い潤滑剤を排出するようにしたが、その反対、つまり鍔部２４側の給排脂孔２３ａから新しい潤滑剤を注入し、フランジ２２側の給排脂孔２３ｂから古い潤滑剤を排出するようにしても良く、寧ろこの向きのほうが潤滑性が要求される噛み合わせ部全体に対してより確実に新たな潤滑剤を供給することができる。
【００２７】
次に、図４〜図８は本発明に係るギアカップリング（歯車式軸継手）１００の他の実施の形態を示したものである。
先ず、図４は、本発明に係るギアカップリング１００の第２の実施の形態を示したものであり、前記第１の実施の形態で示した外筒２０のフランジ２２側に設けられた給排脂孔２３ｂをその軸中心を挟んで互いに対向するように複数設けると共に、鍔部２４側の給排脂孔２３ａも同様にその軸中心を挟んで互いに対向するように複数設けるようにしたものである。
【００２８】
そして、このように各給排脂孔２３ａ、２３ｂをそれぞれ複数設ければ、各給排脂孔２３ａ、２３ｂごとに任意のものを選択して利用できるため、より交換作業などが用意できる。すなわち、前記第１の実施の形態のように各給排脂孔２３ａ、２３ｂをそれぞれ１つずつしか設けていない場合、各回転軸Ｓ１，Ｓ２の回転停止位置によっては、各給排脂孔２３ａ、２３ｂの位置が作業員の位置に対して反対方向になったりして交換作業がし難くなることが考えられるが、本実施の形態のように各給排脂孔２３ａ、２３ｂをそれぞれ複数設けておけば、その停止位置に応じて最も作業のし易い任意の各給排脂孔２３ａ、２３ｂを選択して利用することが可能となるため、より作業性を向上させることができる。また、潤滑剤の交換に際し、排出側となるいずれかの給排脂孔２３ａ、２３ｂの全てを開口させておけば、その排出量も増やすことができるため、より迅速に交換作業を行うことも可能となる。
【００２９】
なお、本実施の形態の場合、潤滑剤の供給側となるいずれかの給排脂孔２３ａ、２３ｂの全てを開口させると、既存の潤滑油が抜けきる前に供給された潤滑油の一部がその軸端や空隙部４０をバイパスして抜け出てしまうため、供給側は原則として１つとすることが望ましい。
次に、図５は、本発明に係るギアカップリング１００の第３の実施の形態を示したものであり、各回転軸Ｓ１，Ｓ２に対してそれぞれ前記と同様な構成をした内筒１０と外筒２０を設け、各外筒２０，２０のフランジ２２，２２同士を図示しない締結ボルトによって一体的に締結したものである。
【００３０】
そして、このような構成をしたギアカップリング１００によれば、前記各実施の形態と同様に新旧の潤滑油の交換を確実に実施できることは勿論、その交換作業のバリエーションが増えるため、より作業性が向上する。
例えば、通常考えられる交換方法としては、外筒２０，２０のフランジ２２，２２側に設けられた給排脂孔２３ｂ、２３ｂの一方から新たな潤滑剤を供給し、内筒１０，１０の空隙部４０、４０側に設けられた給排脂孔２３ａ、２３ａの両方から同時に既存の潤滑剤を排出したり、あるいはそのフランジ２２，２２側に設けられた給排脂孔２３ｂ、２３ｂの全てを閉じた状態とし内筒１０，１０の空隙部４０、４０側に設けられた給排脂孔２３ａ、２３ａのみを用いて潤滑剤を供給するようにしても良い。
【００３１】
また、本実施の形態の変形例として、図６に示すように外筒２０，２０のフランジ２２，２２側にそれぞれ複数の給排脂孔２３ｂ、２３ｂを対向するように設けると共に、内筒１０，１０の空隙部４０、４０側にも同様にそれぞれ複数の給排脂孔２３ａ、２３ａを対向するように設けても良い。
そして、このように複数の給排脂孔２３ａ、２３ａ…、２３ｂ、２３ｂ…を設ければ、例えば図７および図８に示すように、潤滑剤の交換に際して複数の給排脂孔２３ａ、２３ａ…、２３ｂ、２３ｂ…を同時に用いて利用できるため、より効率的に潤滑剤の交換作業を実現することができる。
【００３２】
すなわち、図７は、外筒２０，２０のフランジ２２，２２側に形成された複数の給排脂孔２３ｂ、２３ｂ…のうちの一部を供給用に用い、内筒１０，１０の空隙部４０、４０側に形成された複数の給排脂孔２３ａ、２３ａ…の全てを排出用として用いたものであり、また、図８は、これとは反対に、内筒１０，１０の空隙部４０、４０側に形成された複数の給排脂孔２３ａ、２３ａ…の全てを供給用として用い、外筒２０，２０のフランジ２２，２２側に形成された複数の給排脂孔２３ｂ、２３ｂ…の全てを供給用に用いたものであり、これによって、より迅速な潤滑剤交換作業を達成することができる。
【実施例】
【００３３】
（実施例１）
図１および図２に示すような本発明のギアカップリング１００と、図１１および図１２に示したような従来構造のギアカップリングを用い、その潤滑剤（グリース）をそれぞれの方法によって交換した後、それぞれのギアカップリングを分解してその交換結果を目視によって確認した。
具体的には、先ず、潤滑油が空の状態のギアカップリングに対し、予め黒色に着色したグリースを充填して所定時間運転した後、予め白色に着色したグリースを注入し、次に、その注入した白色のグリースの一部が排出口となる給排脂孔の全てから排出されてきた状態でグリースの注入を停止してからそのギアカップリングを分解してその内筒１０に付着したグリースの状態を目視によって確認した。
【００３４】
この結果、従来構造のギアカップリングでは、回転軸端のグリースは全て白色のものに置き換わっていたもののその内筒１０の外歯車１１部分には、黒色のグリースの一部がそのまま残存しているのが確認された。
これに対し、本発明構造のギアカップリングでは、回転軸端は勿論、外歯車１１部分も全て白色のグリースに置き換わっており、その全量が新たなグリースに置換されたのが確認できた。
【００３５】
（実施例２）
図９に示すように、従来構造（図１１、図１２）のギアカップリング（「給脂なし」、「給脂有り（潤滑剤交換後）」）と、図１および図２に示した本発明のギアカップリング（「給脂有り（潤滑剤交換後）」）とを用い、図９に示すような条件の下でその摩耗に関する試験を実施した。
試験条件としては、いずれも芯ずれ「１°」、負荷「１００Ｋｇ」、回転速度「１５０ｒｐｍ」、トルク（定格比）「０．３０倍」とした。
【００３６】
この結果、図１０に示すように、「給脂なし」の従来のギアカップリングの場合では、予想通りその摩耗速度（μｍ／ｈｒ）は、「０．９６」と極端に高く、また、「給脂あり」の従来のギアカップリングであっても、「０．２１」と比較的高いものであった。
これに対し、本発明に係るギアカップリング（給脂有り（潤滑剤交換後））にあっては、その摩耗速度（μｍ／ｈｒ）は、「０．１４」であり、優れた耐摩耗性を発揮することができた。
【００３７】
これは、前述したように従来構造のギアカップリングでは、潤滑剤交換を行ったもののその潤滑剤の一部が、特に歯車１１，２１の噛み合わせ部に残ってしまい、その全量が確実に交換できなかったのに対し、本発明のギアカップリングでは、潤滑剤交換を行うことにより、その全量が確実に入れ替わって古い潤滑剤が残ってしまうといった不都合が解消されるからである。
【図面の簡単な説明】
【００３８】
【図１】本発明に係るギアカップリングの第１の実施の形態を示す縦断面図である。
【図２】図１中Ｘ−Ｘ線矢視図である。
【図３】図１中Ａ部を示す部分拡大図である。
【図４】本発明に係るギアカップリングの第２の実施の形態を示す縦断面図である。
【図５】本発明に係るギアカップリングの第３の実施の形態を示す縦断面図である。
【図６】本発明に係るギアカップリングの第３の実施の形態の変形例を示す縦断面図である。
【図７】（Ａ）は本発明に係るギアカップリングの潤滑剤の交換例（フランジ側より給脂）を示す縦断面図、（Ｂ）は、そのＸ−Ｘ線断面図である。
【図８】（Ａ）は本発明に係るギアカップリングの潤滑剤の交換例（フランジ側より排脂）の１つを示す縦断面図、（Ｂ）は、そのＸ−Ｘ線断面図である。
【図９】本発明の実施例（試験条件）を示す表図である。
【図１０】本発明の実施例（試験結果）を示すグラフ図である。
【図１１】従来のギアカップリングの構造を示す縦断面図である。
【図１２】図１１中Ｘ−Ｘ線矢視図である。
【符号の説明】
【００３９】
１００…ギアカップリング
１０…内筒
１１…外歯車
２０…外筒
２１…内歯車
２２…フランジ
２３ａ、２３ｂ…給排脂孔
２４…鍔部
２６…Ｏリング
４０…空隙部
Ｐ…プラグ
Ｓ１，Ｓ２…回転軸
【図１】
2008275083.tif 000003
【図２】
2008275083.tif 000004
【図３】
2008275083.tif 000005
【図４】
2008275083.tif 000006
【図５】
2008275083.tif 000007
【図６】
2008275083.tif 000008
【図７】
2008275083.tif 000009
【図８】
2008275083.tif 000010
【図９】
2008275083.tif 000011
【図１０】
2008275083.tif 000012
【図１１】
2008275083.tif 000013
【図１２】
2008275083.tif 000014